(57)【要約】【課題】天井側や床側の不陸の影響を受け難くすることが可能でありながらも、搬送や設置時における取扱性を向上し得る壁下地装置及び壁下地施工方法を提供する。【解決手段】壁下地装置１は、壁厚方向両側に面材４１が固定される複数本の縦桟２０と、該縦桟の下端部２０ｂが固定される下横桟１０と、前記縦桟の上端部２０ａが固定される上横桟３０と、該上横桟を天井下地４側に向けて移動可能に支持し、前記天井下地に固定される横桟支持部材３５と、を備えている。【選択図】図１
2019112879.tif 000002
【特許請求の範囲】
【請求項１】
壁厚方向両側に面材が固定される複数本の縦桟と、該縦桟の下端部が固定される下横桟と、前記縦桟の上端部が固定される上横桟と、該上横桟を天井下地側に向けて移動可能に支持し、前記天井下地に固定される横桟支持部材と、を備えていることを特徴とする壁下地装置。
【請求項２】
請求項１において、
前記横桟支持部材は、前記上横桟に長手方向に間隔を空けて複数箇所に設けられた挿通孔のそれぞれに挿通される複数の雄ねじ部と、これら挿通孔のそれぞれに挿通された雄ねじ部に前記上横桟の下面側からねじ合わされるナット部材と、を備えていることを特徴とする壁下地装置。
【請求項３】
請求項２において、
前記横桟支持部材は、前記上横桟の挿通孔に応じた位置となるように長手方向に間隔を空けて前記複数の雄ねじ部が厚さ方向一方側に設けられ、厚さ方向他方側を前記天井下地側に向けて固定される板状の固定部材を備えていることを特徴とする壁下地装置。
【請求項４】
請求項１乃至３のいずれか１項において、
前記上横桟には、該上横桟の天井下地側に形成される隙間に引き回される配線が挿通される配線挿通孔が設けられていることを特徴とする壁下地装置。
【請求項５】
請求項１乃至４のいずれか１項において、
前記縦桟の上端部及び前記上横桟のうちの一方には、突部が設けられ、他方には、該突部が差し入れられる凹部が設けられており、
前記縦桟の上端部には、前記上横桟の下面に沿うように配されて止具によって固定される固定片部が壁幅方向に突出するように設けられていることを特徴とする壁下地装置。
【請求項６】
請求項５において、
前記縦桟の上端部には、上方側に向けて突出するように付勢部材によって付勢され、前記上横桟に設けられた凹部に差し入れられる突部と、前記付勢部材の付勢に抗して該突部を退入方向に移動させる際に操作される操作部と、が設けられていることを特徴とする壁下地装置。
【請求項７】
請求項６において、
前記縦桟は、筒状体と、該筒状体の上端開口から差し込まれて取り付けられ、前記付勢部材、前記突部、前記操作部及び前記固定片部を有した上端固定ユニットと、を備えていることを特徴とする壁下地装置。
【請求項８】
上横桟を天井下地側に向けて移動可能に支持する横桟支持部材を前記天井下地に固定する工程と、壁厚方向両側に面材が固定される複数本の縦桟の下端部が固定される下横桟を配設する工程と、前記横桟支持部材に対して前記上横桟を支持させた状態で、各縦桟の上端部及び下端部を上下の横桟に固定する工程と、を備えていることを特徴とする壁下地施工方法。
【発明の詳細な説明】
【技術分野】
【０００１】
本発明は、建物の間仕切壁を構成する壁下地装置及び壁下地施工方法に関する。
【背景技術】
【０００２】
従来より、屋内空間を間仕切る間仕切壁は、横桟や間柱等の壁下地の壁厚方向両側に面材が固定されて構成されている。このような間仕切壁では、天井側や床側に不陸等があれば、横桟の固定に調整を要したり、間柱の長さを微調整する必要が生じたりするなどの問題があった。
例えば、下記特許文献１には、第１横框材、第２横框材、及び縦框材からなる矩形の枠体を備えた間仕切パネルが開示されている。また、この間仕切パネルは、縦框材の上端及び第２横框材の下面側のそれぞれに設けられたダボ穴にダボを嵌合させて連結し、縦框材から第２横框材を長手方向に離間可能とした構成とされている。
【先行技術文献】
【特許文献】
【０００３】
【特許文献１】特開２００７−９５８６号公報
【発明の概要】
【発明が解決しようとする課題】
【０００４】
しかしながら、上記特許文献１に記載された間仕切パネルでは、組み立てられた状態で矩形の枠体を設置する必要があるため、搬送や設置時に取り扱い難いという問題があった。
【０００５】
本発明は、上記実情に鑑みてなされたものであり、天井側や床側の不陸の影響を受け難くすることが可能でありながらも、搬送や設置時における取扱性を向上し得る壁下地装置及び壁下地施工方法を提供する。
【課題を解決するための手段】
【０００６】
上記目的を達成するために、本発明に係る壁下地装置は、壁厚方向両側に面材が固定される複数本の縦桟と、該縦桟の下端部が固定される下横桟と、前記縦桟の上端部が固定される上横桟と、該上横桟を天井下地側に向けて移動可能に支持し、前記天井下地に固定される横桟支持部材と、を備えていることを特徴とする。
【０００７】
また、上記目的を達成するために、本発明に係る壁下地施工方法は、上横桟を天井下地側に向けて移動可能に支持する横桟支持部材を前記天井下地に固定する工程と、壁厚方向両側に面材が固定される複数本の縦桟の下端部が固定される下横桟を配設する工程と、前記横桟支持部材に対して前記上横桟を支持させた状態で、各縦桟の上端部及び下端部を上下の横桟に固定する工程と、を備えていることを特徴とする。
【発明の効果】
【０００８】
本発明に係る壁下地装置及び壁下地施工方法は、上述のような構成としたことで、天井側や床側の不陸の影響を受け難くすることが可能でありながらも、搬送や設置時における取扱性を向上させることができる。
【図面の簡単な説明】
【０００９】
【図１】（ａ）、（ｂ）は、本発明の一実施形態に係る壁下地装置の一例及びこれを用いた間仕切壁構造の一例を模式的に示し、（ａ）は、概略正面図、（ｂ）は、（ａ）におけるＸ−Ｘ線矢視に対応させた一部破断概略縦断面図である。
【図２】同間仕切壁構造の概略分解斜視図である。
【図３】（ａ）は、同壁下地装置が備える下横桟の一例を模式的に示す概略斜視図、（ｂ）は、図２の一部分を拡大した概略斜視図である。
【図４】（ａ）は、同壁下地装置が備える縦桟の一例を模式的に示す一部破断概略斜視図、（ｂ）は、同縦桟が備える固定ユニットの一例を模式的に示す概略斜視図、（ｃ）は、同固定ユニットの概略分解斜視図である。
【図５】（ａ）は、同間仕切壁構造の一部破断概略分解斜視図、（ｂ）は、同壁下地装置が備える横桟支持部材の一例を模式的に示す概略斜視図である。
【図６】（ａ）、（ｂ）は、同間仕切壁構造の一部破断概略分解斜視図である。
【図７】（ａ）〜（ｄ）は、同壁下地装置を用いた壁下地施工方法の一例をそれぞれ模式的に示す概略正面図である。
【発明を実施するための形態】
【００１０】
以下に本発明の実施の形態について、図面に基づいて説明する。
なお、一部の図では、他図に付している詳細な符号の一部を省略している。
また、以下の実施形態では、壁下地装置を設置した状態を基準として、上下方向等の方向を説明する。
【００１１】
図１〜図７は、本実施形態に係る壁下地装置、これを用いた間仕切壁構造及び間仕切壁施工方法の一例を模式的に示す図である。
本実施形態に係る壁下地装置１は、図１及び図２に示すように、壁厚方向両側に面材４１が固定される複数本の縦桟２０と、この縦桟２０の上端部２０ａが固定される上横桟３０と、縦桟２０の下端部２０ｂが固定される下横桟１０と、を備えている。
この壁下地装置１の施工対象となる建物としては、戸建住宅や集合住宅等の住宅に限られず、商業施設や公共施設等の建物であってもよい。当該壁下地装置１は、種々の箇所に設置可能である。
【００１２】
また、この壁下地装置１の天井側の固定対象としての天井下地４は、ＬＧＳ（軽量形鋼）等の鋼製下地や、木造下地でもよく、例えば、ハンガー（吊木）に支持された野縁受に固定された野縁でもよく、さらには、天井スラブでもよい。図例では、天井下地４に固定された天井パネル５の下面側に壁下地装置１を設けた例を示している。つまり、壁下地装置１の天井側を、天井パネル５を介して天井下地４に固定した例を示している。なお、このような態様に代えて、壁下地装置１の天井側を、天井下地４に直接的に固定した態様としてもよい。
また、この壁下地装置１の床側の固定対象としての床下地２は、例えば、根太や床下地ボード等でもよく、さらには、床スラブでもよい。また、床下地２は、床スラブ等に設けられた支持脚に根太等を介して支持されて二重床構造を構成する床下地ボードでもよい。床側の固定対象を、このような二重床構造の床下地２とし、天井側の固定対象を、上記のような吊天井構造の天井下地４とすれば、間取り変更等に容易かつ柔軟に対応することができる。
【００１３】
壁下地装置１の壁厚方向両側に設けられる面材４１は、略矩形平板状とされている。これら壁厚方向両側の面材４１と壁下地装置１とによって間仕切壁が形成される。図例では、壁幅方向両側が通路等の空間となるように間仕切壁を設けた例を示している。また、壁下地装置１の壁厚方向両側のそれぞれに、一枚の面材４１を設けた例を示している。また、間仕切壁の壁幅方向両側に帯板状の化粧材４８，４８を設けた例を示している。なお、壁下地装置１によって形成される間仕切壁としては、上記したような態様に限られず、壁厚方向両側のそれぞれに複数枚の面材４１が設けられる態様や、壁幅方向両側または一方側に他の壁が直交状に設けられる態様等でもよい。
【００１４】
また、面材４１の上下寸法は、天井高に応じて適宜の寸法とされたものでもよく、例えば、２０００ｍｍ〜３０００ｍｍ程度でもよい。図例では、面材４１の上下寸法を、縦桟２０の上下寸法（長さ寸法）と略同寸法とした例を示している。また、この面材４１の幅寸法（壁幅方向に沿う寸法）は、取扱性や施工性等の観点から適宜の寸法とされたものでもよく、例えば、３００ｍｍ〜１５００ｍｍ程度でもよい。
また、図例では、この面材４１の裏面（壁下地装置１（縦桟２０））側に、フレーム４２を設けて壁パネル４０とした例を示している。また、壁パネル４０を、縦桟２０の壁厚方向両側に固定した例を示している。フレーム４２は、アルミ等の金属製とされ、面材４１の裏面の四周端部に沿って枠状に設けられている。また、図例では、四周のフレーム４２に加え、上下方向に延びるフレーム４２とパネル幅方向に延びるフレーム４２とを設けた例を示している。
【００１５】
なお、面材４１は、一般的な壁下地ボード、例えば、石膏ボード（プラスターボード）でもよく、インシュレーションボードやＭＤＦ（中密度繊維板）、ハードボード等の木質繊維板、木質積層板等の木質系ボードでもよい。また、面材４１としては、このような石膏ボードや木質系ボードに限られず、例えば、０．５ｍｍ〜１．５ｍｍ程度の比較的に薄い鉄板等の金属板でもよい。また、面材４１は、表面（室内側面）に化粧シートの貼着や塗装等の表面処理が施されて表面が化粧面とされたものでもよい。また、図例では、壁厚方向一方側の面材４１に、配線器具としてコンセント（差込接続器）４４とスイッチ（操作盤）４５とを設けた例を示している。なお、壁下地装置１の壁厚方向両側に設けられる面材４１（壁パネル４０）としては、上記した例に限られず、その他、種々の構成とされたものの採用が可能である。
【００１６】
壁下地装置１の下横桟１０は、図１（ｂ）及び図３（ｂ）に示すように、壁厚方向に沿う寸法（幅寸法）が縦桟２０の壁厚方向に沿う寸法よりも大とされている。また、下横桟１０は、壁厚方向両側に、縦桟２０の下端部２０ｂとによって面材４１（本例では、壁パネル４０）の下端部４０ａを受け入れる受入凹所１４を構成する段壁面１３を設けた構成とされている。このような構成とすれば、縦桟２０の壁厚方向両側に固定される壁パネル４０の下端部４０ａを受入凹所１４に差し入れることができる。これにより、壁パネル４０の下端部４０ａを見栄え良く納めることができ、また、壁パネル４０の下端側の位置決めを容易に行うこともできる。また、下横桟１０は、壁厚方向両側に、この下横桟１０の壁厚方向両側に配される床仕上材３の端部上面３ａを覆う突片部１５を設けた構成としている。このような構成とすれば、間仕切壁の壁厚方向両側に配される床仕上材３の端部を見栄え良く納めることができる。これにより、巾木を設けない構造とすることもできる。
【００１７】
この下横桟１０は、図２に示すように、壁幅方向に長尺状とされている。この下横桟１０の長さ寸法は、間仕切壁の壁幅寸法に応じて適宜の長さとしてもよく、取扱性や施工性等の観点から、例えば、５００ｍｍ〜４０００ｍｍ程度としてもよい。
また、この下横桟１０は、上下方向に厚さ方向を沿わせて配される帯板状とされている。図例では、この下横桟１０の下面（床下地２）側に、下方側に向けて開口し長手方向に延びる二本の凹溝を設けた例を示している。
この下横桟１０の壁厚方向両側の段壁面１３，１３は、互いに向き合うように平行状に設けられている。また、これら段壁面１３，１３は、図３（ａ）に示すように、下横桟１０の全長に亘って設けられている。これら段壁面１３，１３は、これらの間の下横桟１０の上面から立ち上がるように設けられ、この上面に対して略垂直な面とされている。
これら段壁面１３，１３の立ち上がり寸法（段差寸法）は、縦桟２０の壁厚方向両側に設けられる壁パネル４０の下端側の壁厚方向外側への移動を抑制する観点等から適宜の寸法としてもよく、例えば、０．５ｍｍ〜５ｍｍ程度としてもよい。
【００１８】
また、これら段壁面１３，１３間の壁厚方向に沿う寸法は、縦桟２０の壁厚方向に沿う寸法に壁厚方向両側の壁パネル４０，４０の厚さ寸法を足し合わせた寸法（間仕切壁厚寸法）に応じた寸法とされている。図例では、これら段壁面１３，１３間の壁厚方向に沿う寸法を、間仕切壁厚寸法（壁厚方向一方側の面材４１の表面から壁厚方向他方側の面材４１の表面までの壁厚方向に沿う寸法）よりも僅かに大とした例を示している。
受入凹所１４は、底側が段壁面１３，１３間の下横桟１０の上面によって区画され、壁厚方向中央側が縦桟２０の壁厚方向外側面によって区画され、壁厚方向外側が段壁面１３によって区画されている。図例では、縦桟２０の下端部２０ｂの壁厚方向両側に形成される受入凹所１４，１４の壁厚方向に沿う寸法を互いに略同寸法とした例を示している。また、図例では、段壁面１３，１３間の下横桟１０の上面が床仕上材３の上面と略同高さとなる構成とした例を示している。
【００１９】
また、下横桟１０の壁厚方向両側の突片部１５，１５は、下横桟１０の壁厚方向両側の上端縁から壁厚方向外側に向けて突出するように設けられている。これら突片部１５，１５は、下横桟１０の全長に亘って設けられている。また、これら突片部１５，１５は、それぞれの上面が段壁面１３，１３の上端に連なるように設けられている。
これら突片部１５，１５の下面から下横桟１０の下面までの上下方向に沿う寸法は、図１（ｂ）に示すように、床仕上材３の厚さ寸法に応じた寸法とされている。このような構成とすれば、下横桟１０と床下地２との間にスペーサー等を設ける必要性を低減することができる。また、下横桟１０の両側の突片部１５，１５を除いた部位を構成する横桟本体部１１の壁厚方向外側面に床仕上材３の端面が突き合せられる。
【００２０】
また、これら突片部１５，１５の突出寸法（横桟本体部１１の壁厚方向外側面から突出方向先端面までの壁厚方向に沿う寸法）は、床仕上材３の端部上面３ａを覆い得るように、また、見栄え上の観点等から適宜の寸法としてもよい。これら突片部１５，１５の突出寸法を、例えば、０．５ｍｍ〜５ｍｍ程度としてもよい。また、これら突片部１５，１５の上下方向に沿う寸法（厚さ寸法）は、強度上の観点や見栄え上の観点等から適宜の寸法としてもよく、例えば、０．５ｍｍ〜５ｍｍ程度としてもよい。なお、図例では、これら突片部１５，１５の上面を、下面と平行な水平面状とした例を示しているが、壁厚方向外側に向かうに従い下るように傾斜する傾斜面状としてもよい。
【００２１】
また、本実施形態では、下横桟１０の横桟本体部１１の壁厚方向に沿う寸法（幅寸法）Ｗ２を、図３（ｂ）に示すように、複数列状に設けられる床仕上材３の１列の幅寸法を整数倍した寸法Ｗ１と略同寸法としている。このような構成とすれば、下横桟１０を含む間仕切壁を撤去した後に、床仕上材３を見栄え良く配設することができる。つまり、間仕切壁の壁厚方向両側に配設された床仕上材３と同様な列幅の床仕上材３を下横桟１０が配設されていた箇所に配設することができる。本実施形態では、横桟本体部１１の幅寸法Ｗ２を、床仕上材３の１列の幅寸法Ｗ１と略同寸法とした構成としている。また、横桟本体部１１の幅寸法Ｗ２を、床仕上材３自体、つまり、一枚の床仕上材１の幅寸法Ｗ１と略同寸法とした構成としている。
【００２２】
なお、上記のような態様に代えて、横桟本体部１１の幅寸法Ｗ２を、複数枚の床仕上材３の幅寸法を足し合わせた寸法と略同寸法としてもよい。さらには、横桟本体部１１の幅寸法Ｗ２を、突板の継目や化粧溝等によって表面意匠が複数列状とされた床仕上材３の１列の幅寸法を整数倍した寸法Ｗ１と略同寸法としてもよい。この場合において、間仕切壁撤去後に床仕上材３を設置する際には、横桟本体部１１の幅寸法Ｗ２に応じた列数に幅寸法が調整された床仕上材３を設置するようにしてもよい。また、これら幅寸法Ｗ１，Ｗ２は、例えば、５０ｍｍ〜２００ｍｍ程度でもよい。
また、下横桟１０は、床下地２に対して着脱可能に固定されるものでもよい。図例では、下横桟１０にねじ等の止具が挿通される止具挿通孔を長手方向に間隔を空けて複数箇所に設けた例を示している（図３（ａ）参照）。
【００２３】
縦桟２０は、図２に示すように、上下方向に長尺状とされている。この縦桟２０は、壁幅方向に間隔を空けて設けられる。図例では、一枚の面材４１（壁パネル４０）の壁幅方向両端部に位置する両側の縦桟２０，２０と、この壁パネル４０の壁幅方向中央部に位置する中央の縦桟２０Ａと、を設けた例を示している。これら縦桟２０，２０Ａ間の寸法（ピッチ）は、一般的な間柱（スタッド）を設けるピッチと同程度の寸法としてもよく、例えば、３００ｍｍ〜６００ｍｍ程度としてもよい。
また、両側の縦桟２０，２０の上下方向途中部位（図例では、略中央部）には、壁パネル４０の上下方向途中部位（図例では、略中央部）の裏面側に設けられた被保持部４３を着脱可能に保持する保持部２２が設けられている。
【００２４】
縦桟２０の保持部２２は、図６（ｂ）に示すように、縦桟２０の壁幅方向一方側に壁幅方向に突出するように設けられている。図例では、保持部２２を、壁幅方向に見て略円板状とした例を示している。また、縦桟２０の壁幅方向一方側に、壁厚方向両側の壁パネル４０の被保持部４３をそれぞれに保持するように、壁厚方向に間隔を空けて２つの保持部２２，２２を設けた構成としている。
壁パネル４０の被保持部４３は、壁パネル４０の裏面から厚さ方向に突出するように設けられている。また、被保持部４３には、壁幅方向に貫通し、突出方向先側に向けて開口する受入凹部４３ａが設けられている。この受入凹部４３ａは、上記のように略円板状とされた保持部２２を受け入れるように壁幅方向に見て、凹湾曲状とされている。
【００２５】
なお、これら保持部２２及び被保持部４３は、一方の弾性変形部の変形を伴い着脱がなされるものでもよい。また、保持部２２及び被保持部４３としては、上記のような構成とされたものに限られず、その他、種々の構成とされたものの採用が可能である。
また、縦桟２０の上下方向に間隔を空けて複数の保持部２２を設け、壁パネル４０にも保持部２２に対応させて上下方向に間隔を空けて複数の被保持部４３を設けた構成としてもよい。
また、両側の縦桟２０，２０の壁幅方向両側に保持部２２，２２を設けた構成とし、隣り合う壁パネル４０，４０の端部に設けられた被保持部４３，４３を保持する構成としてもよい。また、中央の縦桟２０Ａにも保持部２２を設け、壁パネル４０の壁幅方向中央部にも被保持部４３を設けた態様としてもよい。なお、両側の縦桟２０，２０は、互いに同様の構成であり、中央の縦桟２０Ａは、保持部２２を設けていない以外は両側の縦桟２０，２０と同様であるので、以下では、一方の縦桟２０を例にとって説明する。
【００２６】
本実施形態では、図１（ｂ）に示すように、縦桟２０の上端部２０ａ及び上横桟３０のうちの一方に、突部２７ａを設け、他方に、この突部２７ａが差し入れられる凹部３２を設けた構成としている。このような構成とすれば、縦桟２０の上端部２０ａを上横桟３０に凹凸嵌合によって仮保持させることができる。また、縦桟２０の下端部２０ｂ及び下横桟１０のうちの一方に、突部２７ａを設け、他方に、この突部２７ａが差し入れられる凹部１２を設けた構成としている。このような構成とすれば、上記同様、縦桟２０の下端部２０ｂを下横桟１０に凹凸嵌合によって仮保持させることができる。
本実施形態では、縦桟２０の上端部２０ａ及び下端部２０ｂに突部２７ａ，２７ａを設け、上横桟３０及び下横桟１０に凹部３２，１２を設けた構成としている。上横桟３０及び下横桟１０の凹部３２，１２は、壁厚方向中央部に位置するように設けられている。また、図例では、上横桟３０及び下横桟１０の凹部３２，１２を貫通孔とした例を示しているが、有底穴としてもよい。また、上横桟３０及び下横桟１０の凹部３２，１２は、縦桟２０のピッチに応じた位置となるように壁幅方向に間隔を空けて複数箇所に設けられている（図３（ａ）及び図７参照）。なお、縦桟２０の上端部２０ａ及び下端部２０ｂの突部２７ａ，２７ａについては後述する。
【００２７】
また、図６（ａ）に示すように、縦桟２０の上端部２０ａに、上横桟３０の下面に沿うように配されて止具によって固定される固定片部２９ａを壁幅方向に突出させるように設けた構成としている。このような構成とすれば、上記のように縦桟２０の上端部２０ａを仮保持させた状態で縦桟２０の上端部２０ａを上横桟３０に固定することができる。また、固定片部２９ａを壁幅方向に突出するように設けているので、縦桟２０の壁厚方向両側に設けられる面材４１（壁パネル４０）に固定片部２９ａが干渉するようなことがない。
また、図３（ｂ）に示すように、縦桟２０の下端部２０ｂに、下横桟１０の上面に沿うように配されて止具によって固定される固定片部２９ａを壁幅方向に突出させるように設けた構成としている。このような構成とすれば、上記同様、縦桟２０の下端部２０ｂを仮保持させた状態で縦桟２０の下端部２０ｂを下横桟１０に固定することができ、また、縦桟２０の壁厚方向両側に設けられる壁パネル４０に固定片部２９ａが干渉するようなことがない。また、縦桟２０の上端部２０ａ及び下端部２０ｂの壁幅方向同じ側となる一方側のみに固定片部２９ａ，２９ａを設けた構成としている。
【００２８】
また、図４に示すように、縦桟２０の上端部２０ａに、突部２７ａを上方側に向けて突出させるように付勢する付勢部材２８と、この付勢部材２８の付勢に抗して突部２７ａを退入方向に移動させる際に操作される操作部２７ｂと、を設けた構成としている。このような構成とすれば、突部２７ａを退入させた状態で縦桟２０の上端側を上横桟３０の凹部３２の箇所に位置付けて操作部２７ｂの操作を解除すれば、付勢部材２８によって付勢されて突部２７ａが凹部３２に差し入れられる。これにより、縦桟２０の上端部２０ａ及び上横桟３０の一方に突部を固定的に設けたものと比べて、突部２７ａを上横桟３０の凹部３２に円滑に差し入れることができる。
また、縦桟２０の下端部２０ｂに、突部２７ａを下方側に向けて突出させるように付勢する付勢部材２８と、この付勢部材２８の付勢に抗して突部２７ａを退入方向に移動させる際に操作される操作部２７ｂと、を設けた構成としている。このような構成とすれば、上記同様、突部２７ａを下横桟１０の凹部１２に円滑に差し入れることができる。
【００２９】
本実施形態では、縦桟２０に、筒状体２１と、この筒状体２１の上端及び下端の開口からそれぞれに差し込まれて取り付けられる固定ユニット２３（２３Ａ，２３Ｂ）と、を設けた構成としている。また、固定ユニット２３（２３Ａ，２３Ｂ）に、付勢部材２８、突部２７ａ、操作部２７ｂ及び固定片部２９ａをそれぞれに設けた構成としている。このような構成とすれば、縦桟２０の上端部２０ａ及び下端部２０ｂの両方または一方に、一体的に固定片部２９ａを設けたり、付勢部材２８、突部２７ａ及び操作部２７ｂを保持する部位を設けたりしたものと比べて、汎用性を向上させることができる。つまり、天井高に応じて適宜の長さとされた筒状体２１に固定ユニット２３（２３Ａ，２３Ｂ）を組み付けることで、異なる高さの壁下地装置１を容易に構成することができる。なお、筒状体２１の上端側に取り付けられる上端固定ユニット２３Ａと筒状体２１の下端側に取り付けられる下端固定ユニット２３Ｂとは、互いに同様の構成であるので、これらの具体的構成については、固定ユニット２３として説明する。
【００３０】
筒状体２１は、四角筒状とされ、略平坦面状とされた壁厚方向両面に壁厚方向両側の壁パネル４０，４０の裏面が当接または近接して配される。また、この筒状体２１の下端は、下横桟１０の上面（段壁面１３，１３間の上面）に当接され、筒状体２１の上端は、上横桟３０の下面に当接される。
固定ユニット２３は、図４（ｃ）に示すように、筒状体２１内に差し込まれるブロック状のユニット本体２４と、突部２７ａを有したスライド体２７と、付勢部材２８と、固定片部２９ａを有した固定金具２９と、を備えている。
スライド体２７は、一端部（上下方向外側端部）に突部２７ａを有した略柱状とされている。図例では、スライド体２７を、突部２７ａが他の部位よりも小径状とされた略円柱状とした例を示している。突部２７ａは、筒状体２１の軸心（平面視略中央部）に位置するように配される。上記した上横桟３０及び下横桟１０の凹部３２，１２の内径は、突部２７ａの外径に応じた寸法とされている。
【００３１】
また、このスライド体２７の側周部には、径方向に突出するように操作部２７ｂが設けられている。図例では、操作部２７ｂを、上下方向に厚さ方向を沿わせて配される突片状とした例を示している。また、この操作部２７ｂは、筒状体２１の壁幅方向一方側の側面から突出しないように配されている。このような構成とすれば、筒状体２１の壁幅方向一方側から突出するように設けられる固定片部２９ａを上横桟３０または下横桟１０に固定する際に操作部２７ｂが邪魔になるようなことを抑制することができる。
また、スライド体２７には、他端側（上下方向中央側）に向けて開口し、付勢部材２８を保持する保持凹部が設けられている。図例では、付勢部材２８を、圧縮コイルばねとした例を示している。
ユニット本体２４には、スライド体２７を上下方向にスライド自在に受け入れるスライド凹所２５が設けられている。スライド凹所２５は、上下方向外側から突部２７ａが出没可能となるようにユニット本体２４を上下方向に貫通して設けられている。また、このスライド凹所２５は、操作部２７ｂの操作が可能となるように壁幅方向一方側に向けて開口している。また、スライド凹所２５の上下方向中央側に向く開口は、ユニット本体２４に取り付けられる蓋体２６によって覆われている（図４（ｂ）参照）。この蓋体２６には、付勢部材２８に挿入される柱状部２６ａが設けられている。
【００３２】
固定金具２９は、ユニット本体２４にねじ等の止具によって取り付けられる取付片部２９ｂを備えている。
取付片部２９ｂは、壁幅方向に厚さ方向を沿わせて配される薄板状とされ、ユニット本体２４の壁幅方向一方側となるスライド凹所２５の開口側に沿うように取り付けられている。また、取付片部２９ｂには、操作部２７ｂを露出させる開口２９ｃが設けられている。この取付片部２９ｂは、筒状体２１の内側面に沿うように配される。筒状体２１の上端部２０ａ及び下端部２０ｂには、取付片部２９ｂの開口２９ｃに連通するように、操作部２７ｂを露出させる開口２０ｃが設けられている（図４（ａ）参照）。
固定片部２９ａは、取付片部２９ｂに対して略直交状に設けられ、上下方向に厚さ方向を沿わせて配される薄板状とされている。この固定片部２９ａには、ねじ等の止具が挿通される挿通孔が設けられている。また、固定片部２９ａは、上下方向外側面が筒状体２１の上下方向外側端面（上端面または下端面）と略同一平面状となるように配される。筒状体２１の上端部２０ａ及び下端部２０ｂの壁幅方向一方側には、固定片部２９ａを受け入れる切欠状の凹所が設けられている。
【００３３】
上記構成とされた固定ユニット２３の突部２７ａは、付勢部材２８の付勢に抗して操作部２７ｂを蓋体２６側（上下方向中央側）に移動させれば、筒状体２１内に退入（没入）し、非突出状態とされる。一方、突部２７ａは、操作部２７ｂの操作がなされていない状態では、付勢部材２８によって付勢されて筒状体２１の上下方向外側端面から突出状態とされる。なお、付勢部材２８、突部２７ａ、操作部２７ｂ及び固定片部２９ａを有した固定ユニット２３としては、上記のような構成とされたものに限られず、その他、種々の構成とされたものの採用が可能である。また、固定ユニット２３に、付勢部材２８、突部２７ａ、操作部２７ｂ及び固定片部２９ａのうちの少なくとも一つを設けていない構成としてもよい。例えば、筒状体２１（縦桟２０）に、一体的に固定片部２９ａを設けたり、付勢部材２８、突部２７ａ及び操作部２７ｂを保持する部位を設けたりした構成等としてもよい。
【００３４】
また、壁下地装置１は、図１（ｂ）及び図７（ｂ）に示すように、上横桟３０を天井下地４側に向けて移動可能に支持し、天井下地４に固定される横桟支持部材３５を備えている。このような構成とすれば、天井下地４や天井パネル５に不陸があるような場合にも、天井下地４に固定された横桟支持部材３５に対して縦桟２０の上端部２０ａが固定される上横桟３０を支持させることができる。また、上横桟３０は、横桟支持部材３５に対して天井下地４側に向けて移動可能に支持されているので、床側の不陸等によって各縦桟２０の上端高さが異なるような場合にも縦桟２０の長さを微調整することなく上端部２０ａを上横桟３０に固定することができる。つまり、上横桟３０の高さや水平度、縦桟２０の長さを施工現場において厳密に微調整する必要性を低減することができ、施工性を向上させることができる。また、天井下地４に固定された横桟支持部材３５に対して支持された上横桟３０に各縦桟２０の上端部２０ａを固定することができるので、枠状に組み付けた状態で設置する必要がなく、搬送や設置時における取扱性を向上させることができる。
【００３５】
また、本実施形態では、横桟支持部材３５に、上横桟３０の複数の挿通孔３１のそれぞれに挿通される複数の雄ねじ部３８と、これら挿通孔３１のそれぞれに挿通された雄ねじ部３８に上横桟３０の下面側からねじ合わされるナット部材３９と、を設けた構成としている。このような構成とすれば、上横桟３０の挿通孔３１に挿通された雄ねじ部３８にナット部材３９をねじ合わせることで上横桟３０を天井下地４側に向けて移動可能に支持させることができる。また、上横桟３０の長手方向に間隔を空けた複数箇所のそれぞれが天井下地４側に向けて移動可能に支持されることとなるので、上横桟３０を安定的に支持させることができる。また、縦桟２０の上端部２０ａ及び下端部２０ｂを上下の横桟３０，１０に固定した後に、ナット部材３９を締め付ければ、上横桟３０を横桟支持部材３５及び縦桟２０に対して比較的に強固に固定することができる。
また、本実施形態では、横桟支持部材３５に、上横桟３０の挿通孔３１に応じた位置となるように長手方向に間隔を空けて複数の雄ねじ部３８が厚さ方向一方側に設けられ、厚さ方向他方側を天井下地４側に向けて固定される板状の固定部材３６を設けた構成としている。このような構成とすれば、上横桟３０の各挿通孔３１に応じた位置となるように個別に雄ねじ部３８の位置を調整して固定する必要があるようなものと比べて、施工性を向上させることができる。
【００３６】
固定部材３６は、図５（ａ）、（ｂ）に示すように、壁幅方向に長尺状とされ、上下方向に厚さ方向を沿わせて配される帯板状とされている。この固定部材３６の長さ寸法は、下横桟１０と略同長さとしてもよく、また、間仕切壁の壁幅寸法に応じて適宜の長さとしてもよく、取扱性や施工性等の観点から、例えば、５００ｍｍ〜４０００ｍｍ程度としてもよい。雄ねじ部３８は、固定部材３６の厚さ方向一方側となる下面側から固定部材３６の厚さ方向に軸方向を沿わせて突出するように設けられている。
この固定部材３６の壁厚方向に沿う寸法（幅寸法）は、図１（ｂ）に示すように、本実施形態では、間仕切壁の壁厚以下の寸法とされている。図例では、固定部材３６の幅寸法を、間仕切壁の壁厚と略同寸法とした例を示している。
【００３７】
この固定部材３６には、雄ねじ部３８の上端部がねじ合わされる上端ナット部材３７が埋込状に設けられている。図例では、固定部材３６の長手方向に間隔を空けてそれぞれに雄ねじ部３８，３８がねじ合わされる２つの上端ナット部材３７，３７を設けた例を示している。
なお、この固定部材３６は、天井下地４に対して着脱可能に固定されるものでもよい。図例では、固定部材３６にねじ等の止具が挿通される止具挿通孔を長手方向に間隔を空けて複数箇所に設けた例を示している。また、この固定部材３６は、木質系材料や合成樹脂系材料、金属系材料から形成されたものでもよい。
【００３８】
上横桟３０は、壁幅方向に長尺状とされ、上下方向に厚さ方向を沿わせて配される帯板状とされている。この上横桟３０の長さ寸法は、下横桟１０と略同長さとしてもよく、また、間仕切壁の壁幅寸法に応じて適宜の長さとしてもよく、取扱性や施工性等の観点から、例えば、５００ｍｍ〜４０００ｍｍ程度としてもよい。また、図例では、この上横桟３０の上面（天井下地４）側に、上方側に向けて開口し長手方向に延びる二本の凹溝を設けた例を示している。
この上横桟３０の壁厚方向に沿う寸法（幅寸法）は、図１（ｂ）に示すように、本実施形態では、間仕切壁の壁厚以下の寸法とされている。図例では、この上横桟３０の幅寸法を、縦桟２０の壁厚方向に沿う寸法と略同寸法とした例を示している。
【００３９】
この上横桟３０の挿通孔３１は、上横桟３０の壁厚方向略中央部を厚さ方向に貫通して設けられている。この挿通孔３１の内径は、雄ねじ部３８の挿通が可能なように雄ねじ部３８の外径に応じた寸法とされている。なお、この挿通孔３１の内径は、挿通された雄ねじ部３８の径方向への移動を抑制可能な寸法としてもよい。
横桟支持部材３５のナット部材３９は、図６（ａ）に示すように、上横桟３０の挿通孔３１に挿通された雄ねじ部３８にねじ合わされ、上横桟３０の下面に当接される。なお、ナット部材３９としては、図例のような六角ナットに限られず、蝶ナット等でもよい。
【００４０】
また、本実施形態では、図１（ｂ）及び図６（ａ）に示すように、上横桟３０に、この上横桟３０の天井下地４側に形成される隙間に引き回される配線６が挿通される配線挿通孔３３を設けた構成としている。このような構成とすれば、天井下地４側の隙間に引き回された配線６を、上横桟３０の配線挿通孔３３を介して間仕切壁内空間を構成する上横桟３０の下方側に容易に引き込むことができる。
この配線孔３３は、上横桟３０の壁厚方向一方側部位を厚さ方向に貫通して設けられている。図例では、この配線孔３３を、上横桟３０の長手方向に長尺な長孔とした例を示している。なお、上横桟３０の長手方向に間隔を空けて複数箇所に配線孔３３を設けた構成としてもよい。また、縦桟２０の長手方向途中部位に配線６を保持する配線保持部を設けた構成としてもよい。また、横桟支持部材３５の固定部材３６にも配線孔を設けた構成としてもよい。
【００４１】
また、本実施形態では、天井と間仕切壁との入隅部に設けられる廻縁４６，４６を着脱可能に保持する保持部３４を上横桟３０に設けた構成としている。
保持部３４は、上横桟３０の壁厚方向両側のそれぞれに設けられている。また、上横桟３０の長手方向に間隔を空けて複数箇所に保持部３４を設けた構成としている。また、保持部３４に、壁厚方向外側に向けて突出する突片部を設けた構成としている。
廻縁４６は、壁厚方向に厚さ方向を沿わせて配される薄板状とされ、固定部材３６、この固定部材３６と間仕切壁との間及び間仕切壁上端を覆うように配される。この廻縁４６の裏面（上横桟３０）側には、保持部３４に保持される被保持部４７が設けられている。この被保持部４７には、上横桟３０の保持部３４の突片部を受け入れる凹所が設けられている。なお、保持部３４及び被保持部４７は、上記同様、一方の弾性変形部の変形を伴い着脱がなされるものでもよい。
また、上横桟３０、下横桟１０及び縦桟２０は、金属系材料から形成されたものでもよい。
【００４２】
次に、本実施形態に係る壁下地施工方法の一例について図７を参照して説明する。
本実施形態に係る壁下地施工方法は、図７（ａ）に示すように、上横桟３０を天井下地４側に向けて移動可能に支持する横桟支持部材３５を天井下地４に固定する工程を備えている。本実施形態では、複数の雄ねじ部３８を有した横桟支持部材３５の固定部材３６をねじ等の止具によって天井下地４に固定するようにしている。図例では、天井パネル５の下面側に沿わせるように固定部材３６を固定した例を示している。
また、同壁下地施工方法は、壁厚方向両側に面材４１（壁パネル４０）が固定される複数本の縦桟２０の下端部２０ｂが固定される下横桟１０を配設する工程を備えている。この下横桟１０は、床下地２に対してねじ等の止具によって固定される。なお、下横桟１０の壁厚方向両側に配される床仕上材３は、下横桟１０を床下地２に固定した後に、下横桟１０の突片部１５と床下地２とによって形成される凹所に端部を差し込むようにして施工するようにしてもよい（図１（ｂ）参照）。または、下横桟１０の壁厚方向両側に配される床仕上材３は、下横桟１０を床下地２に固定する前に下横桟１０の横桟本体部１１に応じた間隔を空けて施工されていてもよい。
【００４３】
また、同壁下地施工方法は、図７（ｂ）、（ｃ）に示すように、横桟支持部材３５に対して上横桟３０を支持させた状態で、各縦桟２０の上端部２０ａ及び下端部２０ｂを上下の横桟３０，１０に固定する工程を備えている。上横桟３０は、横桟支持部材３５の雄ねじ部３８を、挿通孔３１に挿通させ、下面側から突出した雄ねじ部３８にナット部材３９をねじ合わせて横桟支持部材３５に吊下状に支持される。
縦桟２０は、斜め状にした状態で、上横桟３０及び下横桟１０のうちの一方の凹部３２（図１（ｂ）参照）に、上端部２０ａ及び下端部２０ｂのうちの一方の突部２７ａを嵌め入れ、垂直状に起立させて他方の突部２７ａを他方の凹部１２に嵌め入れて仮保持される。この際、上端部２０ａ及び下端部２０ｂのうちの一方の操作部２７ｂを、退入させる側に操作して一方の突部２７ａを退入させた状態で、一方の凹部３２に位置付け、突部２７ａを突出させて一方の凹部３２に嵌め入れるようにしてもよい。また、他方側の突部２７ａも同様にして他方の凹部１２に嵌め入れるようにしてもよい。
【００４４】
そして、各縦桟２０の上端部２０ａ及び下端部２０ｂの固定片部２９ａ，２９ａを、上横桟３０及び下横桟１０にねじ等の止具によって固定する（図７（ｄ）参照）。図例では、両側の縦桟２０，２０の固定片部２９ａ，２９ａが壁幅方向中央側に向くように固定した例を示している。
次いで、横桟支持部材３５のナット部材３９を締め付ければ、壁下地（壁下地装置１）が施工された状態となる。そして、図１（ｂ）及び図２に示すように、壁下地装置１の壁厚方向両側に、壁パネル４０を固定する。この際、壁パネル４０を斜め状にした状態で、下端部４０ａを受入凹所１４に差し込み、垂直状に起立させて被保持部４３を縦桟２０の保持部２２に保持させて壁パネル４０を施工するようにしてもよい。また、壁パネル４０の上端部を、縦桟２０にねじ等の止具によって固定するようにしてもよい。
また、壁パネル４０の上端部を覆うように廻縁４６を取り付ける。なお、床と間仕切壁との入隅部に巾木を配設するようにしてもよい。
また、このようにして構築された間仕切壁の壁幅方向の端部に必要に応じて化粧材４８，４８を固定する。
【００４５】
なお、上記施工手順は、一例に過ぎず、各部材の機能を阻害しない限りにおいて別手順で行うようにしてもよく、種々の変形が可能である。また、上記した例では、本実施形態に係る壁下地装置１を用いた壁下地施工方法について説明したが、壁下地装置１を構成する部材の少なくとも一部が施工現場等において手配されるものでもよい。
また、このように施工された間仕切壁を撤去（移設）する際には、上記とは概ね逆順に取り外せば、比較的に容易に撤去することができる。
【００４６】
なお、本実施形態では、縦桟２０の上端部２０ａ及び下端部２０ｂに出没自在とされた突部２７ａ，２７ａを設け、上横桟３０及び下横桟１０に突部２７ａが差し入れられる凹部３２，１２を設けた例を示しているが、このような態様に限られない。突部２７ａ，２７ａを上横桟３０及び下横桟１０に設け、凹部３２，１２を縦桟２０の上端部２０ａ及び下端部２０ｂに設けた態様等としてもよい。また、突部２７ａ，２７ａを出没自在に設けた態様に代えて、固定的に設けた態様としてもよい。また、このような突部２７ａ，２７ａ及び凹部３２，１２並びに固定片部２９ａ，２９ａのうちの一方を設けていない構成としてもよい。さらには、縦桟２０の上端部２０ａ及び下端部２０ｂを、他の固定態様によって上下の横桟３０，１０に固定するようにしてもよい。
【００４７】
また、本実施形態では、上横桟３０を天井下地４側に向けて移動可能に支持する横桟支持部材３５を、上横桟３０の挿通孔３１に挿通される雄ねじ部３８とナット部材３９とを備えた構成とした例を示しているが、このような態様に限られない。横桟支持部材３５を上横桟３０に連結されて上下方向に伸縮可能とされたものとしてもよく、ナット部材３９に代えて上横桟３０の下方側への移動を抑制する他の移動抑制部を設けた態様等としてもよく、その他、種々の変形が可能である。
また、本実施形態では、下横桟１０に、受入凹所１４を構成する段壁面１３及び突片部１５を設けた例を示しているが、段壁面１３及び突片部１５の両方または一方を設けていない構成としてもよい。
また、本実施形態では、上横桟３０に上端部２０ａが固定される縦桟２０を、間仕切壁の高さと概ね同長さとした例を示しているが、間仕切壁の高さの概ね１／２の長さ等とされたものとしてもよい。この場合は、この縦桟の下端部が固定される下横桟を、間仕切壁の高さ方向途中位置に設けられる中間横桟としてもよい。本実施形態に係る壁下地装置１の各部材及び各部の構成は、上記したような構成に限られず、その他、種々の変形が可能である。
【符号の説明】
【００４８】
１            壁下地装置
１０          下横桟
２０，２０Ａ  縦桟
２０ａ        上端部
２０ｂ        下端部
２１          筒状体
２３Ａ        上端固定ユニット
２７ａ        突部
２７ｂ        操作部
２８          付勢部材
２９ａ        固定片部
３０          上横桟
３１          挿通孔
３２          凹部
３３          配線挿通孔
３５          横桟支持部材
３６          固定部材
３８          雄ねじ部
３９          ナット部材
４１          面材
４            天井下地
６            配線
【図１】
2019112879.tif 000003
【図２】
2019112879.tif 000004
【図３】
2019112879.tif 000005
【図４】
2019112879.tif 000006
【図５】
2019112879.tif 000007
【図６】
2019112879.tif 000008
【図７】
2019112879.tif 000009